(57)【要約】【課題】撮影した動画の送信中にレンズが取り外された場合であっても、撮像装置のメモリの消費を低減しつつ、適切な動画を受信装置が受信できるようにすること。【解決手段】受信装置に動画を送信可能な撮像装置であって、前記撮像装置は、前記撮像装置からレンズを取り外すための操作を検出する検出手段と、前記検出手段が前記操作を検出した場合、前記撮像装置が撮影した第１の動画から静止画を生成する生成手段と、前記生成手段により生成された前記静止画を、前記受信装置と通信可能な通信装置に送信する送信手段と、前記送信手段が前記静止画を前記通信装置に送信する場合、前記静止画から第２の動画を生成して前記受信装置に送信することを、前記通信装置に指示する指示手段と、を備える。【選択図】図４
2020137052.tif 000002
【特許請求の範囲】
【請求項１】
受信装置に動画を送信可能な撮像装置であって、
前記撮像装置からレンズを取り外すための操作を検出する検出手段と、
前記検出手段が前記操作を検出した場合、前記撮像装置が撮影した第１の動画から静止画を生成する生成手段と、
前記生成手段により生成された前記静止画を、前記受信装置と通信可能な通信装置に送信する送信手段と、
前記送信手段が前記静止画を前記通信装置に送信する場合、前記静止画から第２の動画を生成して前記受信装置に送信することを、前記通信装置に指示する指示手段と、
を備える撮像装置。
【請求項２】
前記静止画を前記通信装置に送信した後に、前記送信手段への電力供給を停止する停止手段をさらに備えることを特徴とする請求項１に記載の撮像装置。
【請求項３】
前記停止手段は、前記静止画から前記第２の動画が生成されたことを示す信号を前記通信装置から受信した場合、前記送信手段への電力供給を停止することを特徴とする請求項２に記載の撮像装置。
【請求項４】
前記静止画を記憶する記憶手段と、
前記静止画を前記通信装置に送信した後に、前記記憶手段に記憶された静止画を消去する消去手段と、
をさらに備えることを特徴とする請求項１〜３のいずれか１項に記載の撮像装置。
【請求項５】
前記生成手段は、前記検出手段による前記操作の検出の所定時間前に前記撮像装置が撮影した前記第１の動画から静止画を生成することを特徴とする請求項１〜４のいずれか１項に記載の撮像装置。
【請求項６】
前記操作は、前記レンズが前記撮像装置から取り外されたこと、前記撮像装置のレンズロック解除ボタンが押されたこと、前記撮像装置の表示部に表示されたメニューでレンズ交換が選択されたことのいずれかを含む請求項１〜５のいずれか１項に記載の撮像装置。
【請求項７】
前記検出手段は前記撮像装置への前記レンズの装着を検出可能であり、
前記停止手段が前記送信手段への電力供給を停止した後に、前記検出手段が前記レンズの装着を検出した場合、前記停止手段は前記送信手段への電力供給の停止を解除することを特徴とする請求項２に記載の撮像装置。
【請求項８】
前記停止手段が前記送信手段への電力供給を停止した後に、前記検出手段が前記レンズの装着を検出した場合、前記指示手段は前記通信装置に、前記受信装置への前記第２の動画の送信を停止するよう指示することを特徴とする請求項７に記載の撮像装置。
【請求項９】
前記検出手段は、所定の信号が前記レンズから受信できないことにより、前記レンズが取り外されたことを検出することを特徴とする請求項６に記載の撮像装置。
【請求項１０】
受信装置に動画を送信可能な撮像装置に対してレンズを取り外すための操作がなされたことを前記撮像装置が検出した場合に、前記撮像装置から所定の指示を受信する通信装置であって、
前記撮像装置が撮影した第１の動画から前記撮像装置が作成した静止画と、前記所定の指示とを、前記撮像装置から受信する受信手段と、
前記所定の指示に基づいて、前記静止画から第２の動画を生成する生成手段と、
前記所定の指示に基づいて、前記第２の動画を前記受信装置に送信する送信手段と、
を備えることを特徴とする通信装置。
【請求項１１】
前記生成手段による前記第２の動画の生成の完了を前記撮像装置へ通知する通知手段をさらに備えることを特徴とする請求項１０に記載の通信装置。
【請求項１２】
前記第２の動画は、連続した静止画からなる動画であることを特徴とする請求項１０または１１に記載の通信装置。
【請求項１３】
前記第２の動画には、前記レンズが取り外されたことを示す文字またはアイコン画像が重畳されていることを特徴とする請求項１０〜１２のいずれか１項に記載の通信装置。
【請求項１４】
前記撮像装置から前記受信装置への動画送信が停止されたことを示す信号を、前記受信手段が前記撮像装置から受信した場合、前記送信手段は、前記第２の動画を前記受信装置に送信することを特徴とする請求項１０〜１３のいずれか１項に記載の通信装置。
【請求項１５】
受信装置に動画を送信可能な撮像装置の制御方法であって、
前記撮像装置からレンズを取り外すための操作を検出するステップと、
前記操作が検出された場合、前記撮像装置が撮影した第１の動画から静止画を生成するステップと、
前記静止画を、前記受信装置と通信可能な通信装置に送信するステップと、
前記静止画から第２の動画を生成して前記受信装置に送信することを、前記通信装置に指示するステップと、
を有する制御方法。
【請求項１６】
受信装置に動画を送信可能な撮像装置に対してレンズを取り外すための操作がなされたことを前記撮像装置が検出した場合に、前記撮像装置から所定の指示を受信する通信装置の制御方法であって、
前記撮像装置が撮影した第１の動画から作成した静止画と、前記所定の指示とを、前記撮像装置から受信するステップと、
前記所定の指示に基づいて、前記静止画から第２の動画を生成するステップと、
前記所定の指示に基づいて、前記第２の動画を前記受信装置に送信するステップと、
を有することを特徴とする制御方法。
【請求項１７】
コンピュータが読み取り実行することで、前記コンピュータを、請求項１〜９のいずれか１項に記載の撮像装置または請求項１０〜１４のいずれか１項に通信装置の各手段として機能させるためのコンピュータプログラム。
【発明の詳細な説明】
【技術分野】
【０００１】
本発明は、撮影した動画を受信装置に送信する撮像装置、その制御方法およびプログラムに関する。
【背景技術】
【０００２】
近年、通信システムの発展により、デジタルカメラ等の撮像装置で撮影中の動画を、公衆回線やネットワークを介してリアルタイムで送信する動画ライブ送信が行われるようになってきた。動画ライブ送信では、動画の送信中に動画送信不能になる事象が起きた場合、視聴者に当該事象の内容を通知することが望ましい。例えば、特許文献１ではカメラのレンズ交換時にレンズ交換に関する情報を当該カメラ内で生成し、当該情報を視聴者に通知するシステムが開示されている。
【先行技術文献】
【特許文献】
【０００３】
【特許文献１】特開２０１７−３８２７２号公報
【発明の概要】
【発明が解決しようとする課題】
【０００４】
しかしながら特許文献１では、レンズ交換に関する画像情報や文字情報を用意してカメラの不揮発性メモリに記憶する必要があり、カメラの不揮発性メモリを消費していた。
本発明は、撮影した動画の送信中にレンズが取り外された場合であっても、撮像装置のメモリの消費を低減しつつ、適切な動画を受信装置が受信できるようにすることを目的とする。
【課題を解決するための手段】
【０００５】
上記の目的を達成するために、本発明の１つの態様による撮像装置は、受信装置に動画を送信可能な撮像装置であって、前記撮像装置からレンズを取り外すための操作を検出する検出手段と、前記検出手段が前記操作を検出した場合、前記撮像装置が撮影した第１の動画から静止画を生成する生成手段と、前記生成手段により生成された前記静止画を、前記受信装置と通信可能な通信装置に送信する送信手段と、前記送信手段が前記静止画を前記通信装置に送信する場合、前記静止画から第２の動画を生成して前記受信装置に送信することを、前記通信装置に指示する指示手段と、を備える。
【発明の効果】
【０００６】
本発明によれば、撮影した動画の送信中にレンズが取り外された場合であっても、撮像装置のメモリの消費を低減しつつ、適切な動画を受信装置に受信させることができる。
【図面の簡単な説明】
【０００７】
【図１】本発明の実施形態における送受信システムの構成図である。
【図２】図１に示したカメラの構成を示すブロック図である。
【図３】図１に示した中継サーバの構成を示すブロック図である。
【図４】カメラと中継サーバと再生端末の動作を示すシーケンス図である。
【図５】送受信システムのメインルーチンのフローチャートである。
【図６】送受信システムのアラート動画送信ルーチンのフローチャートである。
【図７】送受信システムのアラート動画停止ルーチンのフローチャートである。
【発明を実施するための形態】
【０００８】
以下、添付図面を参照して本発明の実施形態を詳細に説明する。なお、以下の実施形態は本発明を限定するものではなく、また、実施形態で説明されている特徴の組み合わせの全てが本発明の解決手段に必須のものとは限らない。実施形態の構成は、本発明が適用される装置の仕様や各種条件（使用条件、使用環境等）によって適宜修正又は変更され得る。本発明の技術的範囲は、特許請求の範囲によって確定されるのであって、以下の個別の実施形態によって限定されない。
【０００９】
＜システム構成＞
図１を参照して、本実施形態における送受信システム１の構成例を説明する。本実施形態における送受信システム１は、カメラ１０と再生端末２０と中継サーバ３０を備える。送受信システム１はカメラシステムと称することもできる。
本実施形態では、カメラ１０と再生端末２０と中継サーバ３０は、無線で接続される。無線接続は、例えばＩＥＥＥ８０２．１１シリーズ規格に準拠した無線ＬＡＮを使用してよい。なお、カメラ１０と再生端末２０と中継サーバ３０は、有線で接続されてもよい。有線接続の場合、例えばＥｔｈｅｒｎｅｔ（登録商標）規格に準拠した接続を利用する。
【００１０】
カメラ１０は、撮影機能および通信機能を有する撮像装置（送信装置）の一例であり、撮影している映像及び音声からなる動画データ（以下、単に動画と称する）を再生端末２０へ送信する。
再生端末２０は受信装置の一例であり、動画を受信して再生する。再生端末２０が動画を再生すると、再生端末２０のユーザは動画を視聴できる。再生端末２０は、カメラ１０から動画を受信することができるし、中継サーバ３０からも動画を受信することができる。カメラ１０は、受信装置に動画を送信可能な撮像装置であると言える。
中継サーバ３０は、カメラ１０がレンズ交換等で再生端末２０に動画を送信できない場合、カメラ１０に代わって、再生端末２０に動画（当該動画を以下「アラート動画」と称する）を送信する。つまり、本実施形態の中継サーバ３０は、所定の場合、アラート動画を生成し、当該アラート動画を再生端末２０に送信する。アラート動画については図３を用いて後述する。中継サーバ３０は、受信装置と通信可能な通信装置であると言える。
【００１１】
＜カメラの構成＞
次に、図２を参照して、カメラ１０の構成を説明する。図２は、カメラ１０の構成を示すブロック図である。本実施形態では、カメラ１０は、レンズ交換式のデジタルカメラである。カメラ１０は、レンズ１１とカメラ本体１２を備える。レンズ１１は、カメラ本体１２から着脱可能である。
カメラ本体１２は、中央処理装置１０１と、表示装置１０２と、操作部１０３と、撮像素子１０４と、画像処理装置１０５と、不揮発性メモリ１０６と、主記憶装置１０７と、記憶媒体１０８と、通信インターフェース１０９とを備える。カメラ本体１２は、さらに、無線通信用アンテナ１１０と、バッテリ１１１と、マウント部１１２とを有する。
【００１２】
中央処理装置１０１は、後述する各種の信号の送受信を行うと共に各種の処理を実行する。本実施形態では、中央処理装置１０１は、特に、図５〜図７のフローチャートに示す処理を実行する。また、中央処理装置１０１は、バッテリ１１１からカメラ１０およびレンズ１１の各部への電力供給の制御も行う。中央処理装置１０１は、１つまたは複数のＣＰＵやプロセッサ等から構成される。ＣＰＵはＣｅｎｔｒａｌ  Ｐｒｏｃｅｓｓｉｎｇ  Ｕｎｉｔの略である。
表示装置１０２は、撮影した画像（静止画、動画）や撮影している動画、ユーザ設定画面、ライブビュー画像の表示等を行う。表示装置１０２は、例えば、液晶表示部やＬＥＤ（Ｌｉｇｈｔ  Ｅｍｉｔｔｉｎｇ  Ｄｉｏｄｅ）を含む。
【００１３】
操作部１０３は、静止画や動画の撮影の操作を行う場合やユーザ設定画面から所望の設定を入力する場合に用いる。操作部１０３は、静止画撮影ボタン、動画撮影ボタン、レンズロック解除ボタン等を有する。本実施形態では、動画撮影ボタンが押下されると、カメラ１０は動画の撮影を開始し、その後、動画撮影ボタンが押下されると、カメラ１０は動画の撮影を停止する。
撮像素子１０４は、レンズ１１からの光を光電変換し、電気的な画像信号を生成する。
画像処理装置１０５は、撮像素子１０４により生成された信号を動画または静止画に加工する。また、画像処理装置１０５は、撮影した動画や静止画の画像処理（圧縮を含む）を行う。画像処理装置１０５は、動画から静止画を生成する機能も有する。
不揮発性メモリ１０６は、フラッシュメモリ等で構成されており、カメラ１０の電源がＯＦＦの間も保持すべき情報（例えば、ユーザの設定情報等）、画像を送信する度に生成される送信済み情報等を記憶する。また、不揮発性メモリ１０６は、撮影等の機器制御を行うオペレーティングシステム（ＯＳ）、画像を送信する処理を行うプログラム（図５から図７に示す処理のプログラムコード）も記憶している。
【００１４】
主記憶装置１０７は、ＲＡＭ等で構成されており、画像処理装置１０５のデータを一時的に保存するために使われる。不揮発性メモリ１０６に記憶されたプログラムは適宜ＲＡＭに読み出され、中央制御装置１０１を構成するＣＰＵが当該プログラムを実行することにより、種々の機能や処理が実現される。
記憶媒体１０８は、取り外し可能なメモリ等から構成されており、撮影した画像を保存する。
【００１５】
通信インターフェース１０９は、無線通信用アンテナ１１０を介して再生端末２０および中継サーバ３０と接続する際のインターフェースとして機能する。また、通信インターフェース１０９は、ローカルエリアネットワークやＵＳＢ（Ｕｎｉｖｅｒｓａｌ  Ｓｅｒｉａｌ  Ｂｕｓ）等と接続する際のインターフェースとしても機能する。
バッテリ１１１は、カメラ１０およびレンズ１１の各部へ電力を供給する（以下、電力供給を給電と称する）。
マウント部１１２は、レンズ１１をカメラ本体１２に装着する（取付ける）。レンズ１１がカメラ本体１２（マウント部１１２）に装着されると、中央処理装置１０１はレンズ１１に信号を送信できる。マウント部１１２は装着部または取付部と称することもできる。
【００１６】
レンズ１１は、レンズ制御装置１１５と、レンズ駆動部１１６と、レンズ群１１７とを備える。レンズ１１には、撮影対象からの光が入射する。
レンズ制御装置１１５は、レンズ群１１７や絞りを駆動する（レンズ位置や絞りを変化させる）レンズ駆動部１１６を制御する。レンズ位置や絞りを変化させることにより、撮像素子１０４に撮影光束の焦点を合わせることができる。レンズ群１１７は、撮影対象からの入射光を屈折、集光し、撮像素子１０４の撮像面上で結像する。
レンズ１１がカメラ本体１２に装着されている場合、レンズ制御装置１１５と中央処理装置１０１は、レンズ１１とマウント部１１２との接点を介して、互いに信号の伝達を行うことができる。レンズ１１がカメラ本体１２から取り外されると、中央処理装置１０１はレンズ１１から所定の信号を受信できない。中央処理装置１０１は、レンズの取り外しおよびレンズの装着を検出可能である。
なお、図２に示した構成は一例であり、複数の装置や部が１つの装置または部に統合されてもよいし、いずれかの装置や部が複数の部等に分かれてもよい。
【００１７】
＜再生端末の構成＞
次に、再生端末２０の構成を説明する。本実施形態では再生端末２０は、パーソナルコンピュータである。
再生端末２０は、中央処理部と、表示部と、操作部と、主記憶部と、記憶媒体と、通信インターフェースと、無線通信用アンテナとを備える。中央処理部は、記憶媒体に記憶されるプログラムを実行して再生端末２０を制御する。表示部は、カメラ１０または中継サーバ３０から受信した動画の表示等を行う。操作部は、キーボード等を含みユーザの操作を受け付ける。主記憶部は、ＲＡＭ等で構成されており、一時的なデータの格納場所等に使われる。記憶媒体は、再生端末２０の制御を行うＯＳ、カメラ１０または中継サーバ３０からデータを受信したり動画を表示部で再生したりするためのプログラム等を格納する。通信インターフェースは、カメラ１０および中継サーバ３０と接続する際のインターフェースとして機能する。なお、再生端末２０は、スマートフォンやタブレット端末等の通信機器でもよい。
【００１８】
＜中継サーバの構成＞
次に、図３を参照して、中継サーバ３０の構成を説明する。
中継サーバ３０は、中央処理装置（ＣＰＵ）３０１と、ＲＯＭ３０２と、ＲＡＭ３０３と、ＨＤＤ３０４と、ネットワークインターフェース３０５と、アラート動画生成部３０６とを備える。ＲＯＭはＲｅａｄ  Ｏｎｌｙ  Ｍｅｍｏｒｙの略である。ＲＡＭはＲａｎｄｏｍ  Ａｃｃｅｓｓ  Ｍｅｍｏｒｙの略である。ＨＤＤはＨａｒｄ  Ｄｉｓｃ  Ｄｒｉｖｅの略である。
中央処理装置３０１は、中継サーバ３０全体の動作を制御する。中央処理装置３０１は、ＲＯＭ３０２に記憶されたブートプログラムを実行してＨＤＤ３０４に格納されているＯＳやプログラムを読み出してＲＡＭ３０３に展開し、それを実行することにより各種制御を実行する。
【００１９】
ＲＡＭ３０３は、中央処理装置３０１の主メモリ、ワークエリア等の一時記憶領域として用いられる。
ＨＤＤ３０４は各種プログラムを記憶する。
ネットワークインターフェース３０５はインターネットに接続する際のインターフェースとして機能する。
アラート動画生成部３０６は、ＣＰＵ３０１の制御の下で、アラート動画を作成する。アラート動画生成部３０６は、カメラ１０から取得した複数の静止画を用いて、連続した静止画から成る動きの無い動画を生成し、これをアラート画像とする。なお、アラート動画生成部３０６は、ソフトウェアとしてＣＰＵ３０１に組み込まれてもよい。
本実施形態の中継サーバ３０は、カメラ１０から所定の信号を受信すると、アラート動画の生成が可能である旨を伝えるための信号をカメラ１０に送信し、その後、アラート動画を生成する。中継サーバ３０は、カメラ１０から取得した静止画に基づいてアラート動画を生成する。
【００２０】
＜レンズ交換等が発生した場合の処理＞
次に、図４を参照して、動画ライブ送信中にレンズ交換等が発生した場合の処理について説明する。図４は、動画ライブ送信時のカメラ１０、再生端末２０、中継サーバ３０の動作を示すシーケンス図である。なお、Ｓ４０１の前にカメラ１０は起動されており、バッテリ１１１からカメラ１０の各部に給電がなされているとする。
Ｓ４０１において、ユーザがカメラ１０の操作部１０３の中の動画撮影ボタンを押下すると、カメラ１０は処理をＳ４０２に進める。
【００２１】
Ｓ４０２において、カメラ１０は動画撮影を行う。より詳しくは、レンズ１１に入射する光を撮像素子１０４と画像処理装置１０５により処理して、動画を生成する。
Ｓ４０３において、カメラ１０はＳ４０２において撮影した動画を、通信インターフェース１０９を介して再生端末２０へ送信する（動画ライブ送信）。再生端末２０は、カメラ１０から動画を受信して、再生端末２０の表示部に表示する。Ｓ４０２とＳ４０３は複数回繰り返されてよい。本実施形態では、カメラ１０は、Ｓ４０４においてユーザによりカメラ本体１２からレンズ１１が取り外されるまで、Ｓ４０２とＳ４０３を繰り返す。
【００２２】
Ｓ４０４においてユーザによりレンズ１１がカメラ本体１２から取り外されると、Ｓ４０５において、カメラ１０の画像処理装置１０５は、レンズ１１が取り外される直前の動画から静止画を生成する。レンズ１１が取り外される直前の動画とは、例えば、レンズ１１が取り外された時点から所定時間前（所定フレーム数前）にカメラ１０が撮影した動画（フレーム）のデータである。画像処理装置１０５は、生成した静止画を主記憶装置１０７に格納する。
次にＳ４０６においてカメラ１０は、中継サーバ３０にアラート動画の生成を指示する。
Ｓ４０７において中継サーバ３０は、カメラ１０にアラート動画の生成が可能であることを伝える信号（生成指示了解信号）を送信する。なお、カメラ１０は、Ｓ４０７で中継サーバ３０から生成指示了解信号を受信するまで、Ｓ４０６を繰り返す。
【００２３】
カメラ１０は、生成指示了解信号を受信すると、Ｓ４０８において、通信インターフェース１０９を介して中継サーバ３０に静止画を送信する。
Ｓ４０９において、中継サーバ３０は、カメラ１０から受信した静止画に基づいてアラート動画を生成する。より詳しくは、アラート動画生成部３０６が、カメラ１０から取得した複数の静止画を用いて、連続した静止画から成る動きの無い動画（アラート動画）を生成する。アラート動画生成部３０６は、生成したアラート動画を、ＲＡＭ３０３またはＨＤＤ３０４に格納する。アラート動画生成部３０６は、アラート動画の生成を完了すると、当該完了を示す信号をＣＰＵ３０１に送信する。
Ｓ４１０において、中継サーバ３０は、カメラ１０にアラート動画の生成完了を通知する。より詳しくは、ＣＰＵ３０１は、ネットワークインターフェース３０５を介して、カメラ１０にアラート動画生成完了を示す信号を送信する。カメラ１０は、当該信号を受信する。
【００２４】
Ｓ４１１において、カメラ１０は動画送信を停止し、中央処理装置１０１はバッテリ１１１からの通信インターフェース１０９への給電を停止する。また、カメラ１０は、アラート動画を再生端末２０へ送信させるための指示（信号）を、中継サーバ３０に送信する。
Ｓ４１２において、中継サーバ３０は生成したアラート動画を、ネットワークインターフェース３０５を介して再生端末２０に送信する。本実施形態では、Ｓ４１２のアラート動画送信は、Ｓ４１１と同じタイミングで行われる。中継サーバ３０は、Ｓ４１６においてカメラ１０からアラート動画の送信停止の指示（信号）を受信するまで、Ｓ４１２を繰り返す。なお、Ｓ４１２のアラート動画送信は、Ｓ４１１と同じタイミングで行われなくてもよい。例えば、カメラ１０は、Ｓ４０８の静止画送信と同時に、再生端末２０へのアラート動画送信を中継サーバ３０に指示してもよい。
【００２５】
本実施形態のアラート動画は、レンズ１１の取外し直前の動画からカメラ１０が生成した静止画を、中継サーバ３０が動画に変換することにより生成されている。本実施形態では、再生端末２０のユーザに連続した静止画から成る動きの無い動画を視聴させることで、カメラ１０が動画の送信を停止している事を伝えることができる。
通信インターフェース１０９への給電停止が完了すると、Ｓ４１３において、カメラ１０は主記憶装置１０７に格納していた静止画を消去する。
Ｓ４１４において、ユーザがカメラ本体１２にレンズ１１を装着すると、カメラ１０は処理をＳ４１５に進める。より詳しくは、カメラ本体１２の中央処理装置１０１とレンズ制御装置１１５が信号を送受信できるようになったことを、中央処理装置１０１が確認すると、カメラ１０は処理をＳ４１５に進める。
【００２６】
Ｓ４１５において、カメラ１０は通信インターフェース１０９への給電を再開する（電力供給の停止を解除する）。より詳しくは、中央処理装置１０１が、バッテリ１１１から通信インターフェース１０９への給電を再開する。
次にＳ４１６において、カメラ１０は中継サーバ３０にアラート動画の送信停止を指示する。より詳しくは、中央処理装置１０１が、アラート画像送信停止の信号を中継サーバ３０に送信する。
Ｓ４１７において、中継サーバ３０はアラート動画の送信を停止する。
Ｓ４１８において、中継サーバ３０はカメラ１０にアラート動画の送信停止の完了を通知する。より詳しくは、ＣＰＵ３０１が、アラート画像の送信停止完了を示す信号をカメラ１０に送信する。
【００２７】
Ｓ４１９において、カメラ１０は動画撮影を再開する。
Ｓ４２０において、カメラ１０はＳ４１９において撮影した動画を、通信インターフェース１０９を介して再生端末２０へ送信する。再生端末２０は、カメラ１０から動画を受信して、再生端末２０の表示部に表示する。
カメラ１０は、Ｓ４２１においてユーザによりカメラ１０の操作部１０３の動画撮影ボタンが押下されるまで、Ｓ４１９とＳ４２０を繰り返す。
Ｓ４２１において、ユーザによりカメラ１０の操作部１０３の動画撮影ボタンが押下されると、カメラ１０は動画ライブ送信を終了する。
【００２８】
なお、再生端末２０のユーザに、レンズ１１が取外されたことをより明確に伝えるために、例えば中継サーバ３０がカメラ１０から受信した静止画に「レンズ交換中」という文字情報を重畳させて、アラート画像を生成もよい。また、当該静止画に「レンズ交換中」であることを表すアイコン画像を重畳させて、アラート動画を生成してもよい。
Ｓ４０５の静止画の生成は、レンズ１１がカメラ本体１１（マウント部１１２）から取り外されたことを契機としているが、本実施形態はこれに限定されない。例えば、操作部１０３の中のレンズロック解除ボタンが押されたことや、表示装置１０２に表示されるメニューでレンズ交換が選択されたことを契機にしてもよい。
【００２９】
＜再生端末への動画送信＞
次に、図５から図７を参照して、カメラ１０および中継サーバ３０が再生端末２０へ動画の送信を行う動作を説明する。本実施形態では、カメラ１０の中央処理装置１０１がカメラ１０の各部を制御すること、および中継サーバ３０の中央処理装置３０１が中継サーバ３０の各部を制御することにより、以下の動作が実現される。
【００３０】
＜送受信システムのメインルーチン＞
図５は、本発明による送受信システム１のメインルーチンのフローチャートである。ユーザによりカメラ１０の動画撮影ボタンが押下されることにより、カメラ１０は図５に示す処理を開始する。すなわち、ユーザにより動画撮影の開始の操作がされた場合に、カメラ１０は図５に示す処理を開始する。
【００３１】
Ｓ５０１において、操作部１０３の動画撮影ボタンが押下されたことを示す信号が、中央処理装置１０１に入力される。中央処理装置１０１は、当該信号を受信すると、レンズ制御装置１１５、撮像素子１０４および画像処理装置１０５等を制御して、カメラ１０による動画の撮影を開始する。
Ｓ５０２において、カメラ１０はＳ５０１において撮影した動画を、通信インターフェース１０９を介して再生端末２０に送信する。
【００３２】
Ｓ５０３において、カメラ１０は動画撮影ボタンが押下されたか否かを判定する。すなわち、中央処理装置１０１は、ユーザにより動画撮影を停止する操作が行われたか否かを判定する。当該判定は、操作部１０３の動画撮影ボタンが押下されたことを示す信号が、中央処理装置１０１に入力されたか否かに基づいて行われる。
カメラ１０は、動画撮影ボタンが押下された場合（Ｓ５０３の判定結果がＹｅｓの場合）、図５に示す処理を終了する。この場合の動画撮影ボタン押下は、動画撮影を停止するための操作である。カメラ１０は、動画撮影ボタンが押下されていない場合、処理をＳ５０４に進める。
【００３３】
Ｓ５０４において、カメラ１０の中央処理装置１０１は、レンズ１１がカメラ本体１２に装着されているか否かを判定する。レンズ１１がカメラ本体１２に装着されているか否かは、例えば、中央処理装置１０１がレンズ制御装置１１５と互いに信号の伝達が可能か否かで判定する。中央処理装置１０１がレンズ制御装置１１５との信号伝達が可能でないと判定することにより、中央処理装置１０１は、レンズ１１を取り外すための操作がなされたことを検出する。
レンズ１１がカメラ本体１２に装着されている場合、カメラ１０は処理をステップＳ５０１に戻す。レンズ１１がカメラ本体１２に装着されていない場合、すなわちレンズ１１がカメラ本体１２から取り外された場合には、カメラ１０は処理をステップＳ５０５に進める。
【００３４】
なお、レンズ１１がカメラ本体１２から取り外されたときに、マウント部（レンズ装着部）１１２が所定の信号を中央処理装置１０１に送信してもよい。中央処理装置１０１は、当該信号を受信することにより、レンズ１１を取り外すための操作がなされたことを検出できる。あるいは、レンズ１１がカメラ本体１２に装着されたときに、マウント部１１２が所定の信号を中央処理装置１０１に送信し、レンズ１１がカメラ本体１２から取り外されたときに、当該信号の受信が途絶えるようにしてもよい。
【００３５】
Ｓ５０５において、カメラ１０は中継サーバ３０と通信し、中継サーバ３０から再生端末２０にアラート動画を送信させる。さらに、カメラ１０は、バッテリ１１１から通信インターフェース１０９への給電を停止する。Ｓ５０５の詳細は、図６を用いて後述する。
中継サーバ３０がアラート動画を送信すると、カメラ１０はステップＳ５０６において、操作部１０３の動画撮影ボタンが押下されたか否かを判定する。この状態で、動画撮影ボタンが押下されると、中央処理装置１０１は、アラート動画の送信停止を示す信号を操作部１０３から受信し、且つ、撮影終了を示す信号も操作部１０３から受信する。すなわち、中央処理装置１０１は、ユーザによりアラート動画の送信停止および撮影終了の操作が行われたか否かを判定する。
【００３６】
動画撮影ボタンが押下された場合、カメラ１０はＳ５０７に進み、アラート動画の送信を停止させる。具体的には、中央処理装置１０１は、アラート動画の送信停止を指示する信号を中継サーバ３０に送信する。当該信号を受信した中継サーバ３０は、アラート動画の送信を停止する。Ｓ５０７のアラート動画停止処理は、図７を用いて後述する。Ｓ５０７の後、カメラ１０は、図５に示す処理を終了する。
動画撮影ボタンが押下されていない場合、カメラ１０は処理をＳ５０８に進める。
【００３７】
Ｓ５０８において、カメラ１０の中央処理装置１０１はレンズ１１がカメラ本体１２に装着されているか否かを判定する。すなわち、ユーザにより動画撮影再開の操作（レンズ交換）が行われたか否かを判定する。レンズ１１がカメラ本体１２に装着されている場合、カメラ１０はＳ５０９に進み、アラート動画の送信を停止させる。Ｓ５０９の処理内容は、Ｓ５０７と同じである。Ｓ５０９の後、カメラ１０は、処理をＳ５０１に戻す。
Ｓ５０８においてレンズ１１がカメラ本体１２に装着されていない場合、カメラ１０は処理をＳ５０６に戻す。
【００３８】
＜アラート動画送信ルーチン＞
図６は、送受信システム１のアラート動画送信ルーチン（図５のＳ５０５）のフローチャートである。
Ｓ６０１において、カメラ１０は、レンズ１１が取り外される直前に撮影した動画から静止画を生成する。
Ｓ６０２において、カメラ１０は、中継サーバ３０にアラート動画の生成を指示する。
【００３９】
Ｓ６０３において、中継サーバ３０はアラート動画の生成ができるか否かを判定する。例えば、中継サーバ３０はアラート動画の生成準備ができてない場合は、その旨を示す信号をカメラ１０に送信する。当該信号を受信したカメラ１０は、Ｓ６０２の処理を繰り返す。つまり、カメラ１０は、再度、中継サーバ３０にアラート動画の生成を指示する。
中継サーバ３０がアラート動画を生成できる場合、Ｓ６０４において、カメラ１０は静止画を中継サーバ３０に送信する。
【００４０】
Ｓ６０５において、中継サーバ３０は、静止画からアラート動画を生成する。アラート動画は、所定の時間長を有する。
中継サーバ３０がアラート動画の生成を完了すると、Ｓ６０６において、中継サーバ３０はアラート動画生成完了を示す信号をカメラ１０に送信する。
Ｓ６０７において、カメラ１０は動画の送信（動画ライブ送信）を停止する。また、中央処理装置１０１は、バッテリ１１１から通信インターフェース１０９への給電を停止する。このとき、カメラ１０は、アラート動画を中継サーバ３０から再生端末２０に送信させるための指示信号を中継サーバ３０に送信する。
【００４１】
Ｓ６０８において、中継サーバ３０は生成したアラート動画をネットワークインターフェース３０５を介して再生端末２０に送信する。Ｓ６０８はＳ６０７と同じタイミングで実行されてよい。
Ｓ６０８で中継サーバ３０は生成したアラート動画をネットワークインターフェース３０５を介して再生端末２０に送信する。中継サーバ３０は、カメラ１０からアラート動画送信停止指示の信号を受信するまで、Ｓ６０８のアラート動画の送信を継続する。
通信インターフェース１０９への給電停止が完了すると、Ｓ６０９において、カメラ１０は主記憶装置１０７に格納していた静止画を消去する。
【００４２】
＜アラート動画停止ルーチン＞
図７は、送受信システム１のアラート動画停止ルーチン（図５のＳ５０７）のフローチャートである。
Ｓ７０１において、カメラ１０は通信インターフェース１０９への給電を再開する。より詳しくは、中央処理装置１０１は、バッテリ１１１から通信インターフェース１０９への給電を再開する。
【００４３】
Ｓ７０２において、カメラ１０は中継サーバ３０にアラート動画送信の停止を指示する。より詳しくは、中央処理装置１０１は、中継サーバ３０のＣＰＵ３０１にアラート動画送信を停止するための信号を送信する。
Ｓ７０３において、中継サーバ３０はアラート動画の送信を停止する。アラート動画の送信停止が完了すると、中継サーバ３０は、処理をＳ７０４に進める。
Ｓ７０４において、中継サーバ３０はカメラ１０にアラート動画の送信停止完了を通知するための信号を送信する。
【００４４】
Ｓ７０４の後、カメラ１０は、中継サーバ３０からアラート動画の送信停止完了の信号を受信すると、図５に示す処理を終了する。すなわち、カメラ１０は、アラート動画の送信を停止させ、動画撮影も終了する。
なお、Ｓ５０８でレンズ１１がカメラ本体１２に装着されていた場合は、カメラ１０はＳ７０４の後にＳ５０１に戻り、動画撮影を再開する。
【００４５】
本実施形態によれば、カメラ１０は、動画ライブ送信中にレンズ１１が装着されているか否かを判定して、レンズ１１が取り外された場合、直前の動画から静止画を生成して中継サーバ３０に送信する。中継サーバは静止画からアラート動画を生成する。カメラ１０の代わりに中継サーバ３０が再生端末２０にアラート動画を送信することで、カメラ１０は動画ライブ送信を中断して、通信インターフェース１０９への給電を停止することができる。
【００４６】
したがって、撮影した動画の送信中にユーザによるレンズ交換が行われ、レンズ交換に関する情報（アラート情報）を再生端末２０に送信する場合、カメラ１０はレンズ交換に関する情報を予め不揮発性メモリ１０６に蓄える必要はない。また、レンズ交換中は通信インターフェース１０９への給電を停止することができるので、バッテリ１１１の消耗を減らすことができる。
【００４７】
なお、図６ではＳ６０７の後にＳ６０９を実行したが、Ｓ６０７とＳ６０９は同時に実行してもよい。また、Ｓ６０７の前にＳ６０９を実行してもよい。
また、図７ではＳ７０１の後にＳ７０２を実行したが、Ｓ７０１とＳ７０２は同時に実行してもよい。また、Ｓ７０１の前にＳ７０２を実行してもよい。
また、アラート動画は、レンズ１１の取り外しを表す動画であればよい。
また、レンズ１１の内部構成は図２に示した構成に限定されない。また、バッテリ１１１はカメラ本体１２の外部に設けられてもよい。
【００４８】
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。ＡＳＩＣはＡｐｐｌｉｃａｔｉｏｎ  Ｓｐｅｃｉｆｉｃ  Ｉｎｔｅｇｒａｔｅｄ  Ｃｉｒｃｕｉｔの略である。
以上、本発明を実施形態と共に説明したが、上記した実施形態は本発明を実施するにあたっての具体化の一例を示したものに過ぎず、上記した実施形態によって本発明の技術的範囲が限定的に解釈されてはならない。すなわち、本発明はその技術思想、又はその主要な特徴から逸脱することなく、様々な形で実施することができる。
【符号の説明】
【００４９】
１…送信システム、１０…カメラ、１１…レンズ、１２…カメラ本体、２０…再生端末、３０…中継サーバ、１０１…中央処理装置、１０９…通信インターフェース、１１１…バッテリ、１１２…マウント部
【図１】
2020137052.tif 000003
【図２】
2020137052.tif 000004
【図３】
2020137052.tif 000005
【図４】
2020137052.tif 000006
【図５】
2020137052.tif 000007
【図６】
2020137052.tif 000008
【図７】
2020137052.tif 000009